(57)【要約】【課題】測定された物理量と、その物理量が測定された位置との関係を正確かつ容易に特定可能な測定システムを提供する。【解決手段】測定値表示領域Ａａに表示させた複数の測定値（グラフＧ）のうちからいずれかの測定値が指定されたときに、指定された測定値を特定可能な識別表示Ｍａ１を測定値表示領域Ａａに表示させると共に、指定された測定値の測定データが生成された位置を示す識別表示Ｍｂ１を測定位置表示領域Ａｂに表示させる処理と、測定位置表示領域Ａｂに表示させた地図ＭＰ中のいずれかの位置が指定され、かつ指定された位置において生成された測定データが存在するときに、地図ＭＰ中の指定された位置に識別表示Ｍｂ１を表示させると共に、指定された位置において生成された測定データの測定値を特定可能に識別表示Ｍａ１を測定値表示領域Ａａに表示させる処理との少なくとも一方を実行可能な測定結果表示装置を備えている。【選択図】図３
2014120087.tif 000002
【特許請求の範囲】
【請求項１】
測定装置および測定結果表示装置を備えて構成された測定システムであって、
前記測定装置は、測定対象の物理量を測定して測定データを生成する測定処理を実行する測定部と、現在位置を測位して測位データを生成する測位処理を実行する測位部と、前記測定データおよび前記測位データを記憶する測定装置側記憶部と、前記測定部を制御して予め設定された時間間隔で前記測定処理を実行させ、かつ前記測位部を制御して少なくとも前記測定部による前記測定処理時における現在位置を特定可能に前記測位処理を実行させると共に、前記測定データ、および当該測定データの生成時に生成された前記測位データを相互に関連付けて前記測定装置側記憶部に順次記憶させるデータ記憶処理を実行する測定装置側処理部とを備えて構成され、
前記測定結果表示装置は、地図データを記憶する表示装置側記憶部と、前記データ記憶処理によって前記記憶部に記憶された複数の前記測定データおよび前記測位データを取得して当該各測定データの各測定値を測定値表示画面に表示させると共に、当該測定値表示画面に表示させる測定値の前記測定データが生成された位置を前記測位データに基づいて特定して当該測定データが生成された位置を含む領域の地図を前記地図データに基づいて測定位置表示画面に表示させる表示処理を実行する表示装置側処理部とを備えて構成され、
前記表示装置側処理部は、前記表示処理において、前記測定値表示画面に表示させた複数の測定値のうちからいずれかの測定値が指定されたときに、当該指定された測定値を特定可能な第１識別表示を当該測定値表示画面に表示させると共に、前記指定された測定値の前記測定データが生成された位置を示す第２識別表示を前記測定位置表示画面に表示させる第１処理と、前記測定位置表示画面に表示させた前記地図中のいずれかの位置が指定され、かつ当該指定された位置において生成された前記測定データが存在するときに、当該地図中の当該指定された位置に前記第２識別表示を表示させると共に、当該指定された位置において生成された当該測定データの測定値を特定可能に前記第１識別表示を前記測定値表示画面に表示させる第２処理との少なくとも一方を実行可能に構成されている測定システム。
【請求項２】
前記表示装置側処理部は、前記第１処理を実行可能に構成されると共に、当該第１処理において、前記指定された測定値の前記測定データが生成された位置を含む領域の前記地図が前記測定位置表示画面に表示されていないときに、当該地図をスクロールさせて当該測定データが生成された位置を含む領域を当該測定位置表示画面に表示させる処理Ａ１と、当該地図を縮小して表示範囲を拡大することで当該測定データが生成された位置を含む領域を当該測定位置表示画面に表示させる処理Ａ２との少なくとも一方を実行する請求項１記載の測定システム。
【請求項３】
前記表示装置側処理部は、前記第２処理を実行可能に構成されると共に、当該第２処理において、前記測定位置表示画面に表示させた前記地図中の任意の領域が指定され、かつ当該指定された領域内に前記測定データが生成された位置が複数存在するときに、当該複数の測定データの各測定値の範囲を特定可能に前記第１識別表示としての測定値範囲表示を前記測定値表示画面に表示させる請求項１または２記載の測定システム。
【請求項４】
前記表示装置側処理部は、前記第１処理を実行可能に構成されると共に、当該第１処理において、前記測定データの生成順で連続する複数の測定値が指定されたときに、当該指定された各測定値の前記測定データが生成された各位置を含む前記地図中の領域を特定可能に前記第２識別表示としての測定位置範囲表示を前記測定位置表示画面に表示させる請求項１から３のいずれかに記載の測定システム。
【請求項５】
前記表示装置側処理部は、前記表示処理において、複数の前記測定データが生成された各位置を特定可能な移動軌跡表示を前記測定位置表示画面に表示させる請求項１から４のいずれかに記載の測定システム。
【請求項６】
通信部を備え、
前記表示装置側処理部は、前記通信部を介して外部装置から前記地図データを取得して前記表示装置側記憶部に記憶させる請求項１から５のいずれかに記載の測定システム。
【請求項７】
測定装置および測定結果表示装置を備えて構成された測定システムであって、
前記測定装置は、測定対象の物理量を測定して測定データを生成する測定処理を実行する測定部と、現在位置を測位して測位データを生成する測位処理を実行する測位部と、前記測定データおよび前記測位データを記憶する測定装置側記憶部と、前記測定部を制御して予め設定された時間間隔で前記測定処理を実行させ、かつ前記測位部を制御して少なくとも前記測定部による前記測定処理時における現在位置を特定可能に前記測位処理を実行させると共に、前記測定データ、および当該測定データの生成時に生成された前記測位データを相互に関連付けて前記測定装置側記憶部に順次記憶させるデータ記憶処理を実行する測定装置側処理部とを備えて構成され、
前記測定結果表示装置は、前記データ記憶処理によって前記測定装置側記憶部に記憶された複数の前記測定データおよび前記測定データを取得して当該各測定データの各測定値を測定値表示画面に表示させると共に、当該測定値表示画面に表示させる各測定値の前記各測定データが生成された各位置を当該各測定データに関連付けられている前記測位データに基づいて特定して当該各測定データが生成された各位置を特定可能な移動軌跡表示を測定位置表示画面に表示させる表示処理を実行する表示装置側処理部を備えて構成され、
前記表示装置側処理部は、前記表示処理において、前記測定値表示画面に表示させた複数の測定値のうちからいずれかの測定値が指定されたときに、当該指定された測定値を特定可能な第１識別表示を当該測定値表示画面に表示させると共に、前記指定された測定値の前記測定データが生成された位置を示す第２識別表示を前記測定位置表示画面に表示させる第１処理と、前記測定位置表示画面に表示させた前記移動軌跡表示上のいずれかの位置が指定され、かつ当該指定された位置において生成された前記測定データが存在するときに、当該移動軌跡表示上の当該指定された位置に前記第２識別表示を表示させると共に、当該指定された位置において生成された当該測定データの測定値を特定可能に前記第１識別表示を前記測定値表示画面に表示させる第２処理との少なくとも一方を実行可能に構成されている測定システム。
【請求項８】
前記表示装置側処理部は、前記第１処理を実行可能に構成されると共に、当該第１処理において、前記指定された測定値の前記測定データが生成された位置を含む前記移動軌跡表示が前記測定位置表示画面に表示されていないときに、当該移動軌跡表示をスクロールさせて当該測定データが生成された位置を当該測定位置表示画面に表示させる処理Ｂ１と、および当該移動軌跡表示を縮小することで当該測定データが生成された位置を当該測定位置表示画面に表示させる処理Ｂ２との少なくとも一方を実行する請求項７記載の測定システム。
【請求項９】
前記表示装置側処理部は、前記第２処理を実行可能に構成されると共に、当該第２処理において、測定位置表示画面に表示させた前記移動軌跡表示中の任意の範囲が指定されたときに、当該指定された範囲内において生成された複数の前記測定データの各測定値の範囲を特定可能に前記第１識別表示としての測定値範囲表示を前記測定値表示画面に表示させる請求項７または８記載の測定システム。
【請求項１０】
前記表示装置側処理部は、前記第１処理を実行可能に構成されると共に、当該第１処理において、前記測定データの生成順で連続する複数の測定値が指定されたときに、当該指定された各測定値の前記測定データが生成された各位置を含む前記移動軌跡表示上の範囲を特定可能に前記第２識別表示としての測定位置範囲表示を前記測定位置表示画面に表示させる請求項７から９のいずれかに記載の測定システム。
【請求項１１】
前記表示装置側処理部は、前記第１処理を実行可能に構成されると共に、当該第１処理において、いずれかの前記測定値が指定された後に他の前記測定値が指定されたときに、指定された順序を特定可能に前記第１識別表示を前記測定値表示画面にそれぞれ表示させ、かつ当該指定された各測定値に対応する複数の前記第２識別表示を当該各測定値が指定された順序を特定可能に前記測定位置表示画面に表示させると共に、前記第２処理において、前記測定データが生成されたいずれかの位置が指定された後に他の位置が指定され、かつ当該他の位置において生成された測定データが存在するときに、指定された順序を特定可能に前記第２識別表示を前記測定位置表示画面にそれぞれ表示させ、かつ当該指定された各位置に対応する複数の前記第１識別表示を当該各位置が指定された順序を特定可能に前記測定値表示画面に表示させる請求項１から１０のいずれかに記載の測定システム。
【請求項１２】
前記表示装置側処理部は、前記測定値表示画面および前記測定位置表示画面を１画面内に表示させる請求項１から１１のいずれかに記載の測定システム。
【請求項１３】
前記表示装置側処理部は、前記表示処理において、前記測定値のレベルを第１の方向に対応させ、かつ前記データ記憶処理の開始時点からの経過時間と当該データ記憶処理中における前記測定装置の移動距離とのいずれか一方を前記第１の方向と交差する第２の方向に対応させたグラフによって前記各測定データの測定値を前記測定値表示画面に表示させると共に、前記経過時間と前記移動距離との他方を前記第２の方向に対応させるように指示されたときに、当該他方を当該第２の方向に対応させたグラフを前記測定値表示画面に表示させる請求項１から１２のいずれかに記載の測定システム。
【発明の詳細な説明】
【技術分野】
【０００１】
本発明は、測定対象の物理量を測定した測定データと、その測定データの生成位置を特定可能な測位データとを相互に関連付けて記憶する測定装置、並びに、測定データに基づく測定値表示画面、および測位データに基づく測定位置表示画面をそれぞれ表示可能に構成された測定結果表示装置を備えて構成された測定システムに関するものである。
【背景技術】
【０００２】
例えば、特開２００６−２７７１７３号公報には、入力装置、出力装置、データ処理部、データ記憶部、加速度センサおよびＧＰＳアンテナ（以下、これらを合わせて「移動体側装置」ともいう）と、管理センター等に設置されたデータ解析装置とを有する輸送品質サポートシステムが開示されている。この場合、上記の移動体側装置は、測定対象の移動体（トラック等の車両）に設置されて移動体において生じる加速度を測定し、かつ測定時における移動体側装置の位置を測位すると共に、加速度データおよび測位データを相互に関連付けて記憶可能に構成されている。また、移動体側装置は、出力装置としてのディスプレイおよびスピーカや、入力装置としてのタッチパネル等が車両の運転席に設置され、設定画面等をディスプレイに表示させた状態においてタッチパネル等を操作することで測定条件（上記の各データの記憶条件）を設定し、かつ、測定の結果を加速度波形表示画面に表示させることができるように構成されている。
【０００３】
また、この輸送品質サポートシステムでは、移動体側装置において記憶させたデータに基づき、データ解析装置において物品の輸送状態を解析することができるように構成されている。具体的には、移動体側装置のデータ記憶部に記憶されたデータ（加速度データおよび測位データ）をデータ解析装置に取り込んだ状態において解析処理を実行する。この際には、データ解析装置の入力データ表示画面に、バッチ表、加速度表、加速度波形および地図表示部が表示され、解析処理の結果がそれぞれ表示される。具体的には、バッチ表には、ドライバー名、積載重量および車種等の「運行情報」が表示される。また、加速度表には、運行時における走行速度および荷台加速度等の情報が表示される。さらに、加速度波形としては、１秒毎の加速度の値が波形で表示される。また、地図表示部には、加速度表に表示されている各レコードの値が測定された地点の地図が表示される。
【０００４】
この場合、この輸送品質サポートシステムでは、データ解析装置における解析処理に先立ち、例えば、輸送中の物品に問題が生じる加速度を設定しておくことにより、設定値を超える加速度が測定された位置に対応して「測定された加速度の値」が地図表示部内の地図中に表示される構成が採用されている。これにより、この輸送品質サポートシステムでは、障害物等によって大きな振動が生じやすい地点を把握することが可能となり、次回の運行時に走行速度を落としたり、大きな振動が生じやすい地点を回避したりして、積荷に振動が与えられるのを回避することが可能となる。
【先行技術文献】
【特許文献】
【０００５】
【特許文献１】特開２００６−２７７１７３号公報（第４−７頁、第１−８図）
【発明の概要】
【発明が解決しようとする課題】
【０００６】
ところが、従来の輸送品質サポートシステムには、以下の解決すべき問題点が存在する。すなわち、従来の輸送品質サポートシステムでは、設定値を超える加速度が移動体側装置によって測定された位置に対応してデータ解析装置の入力データ表示画面における地図表示部内の地図中に「測定された加速度の値」が表示される構成が採用されている。これにより、この輸送品質サポートシステムでは、前述したように、大きな振動が生じやすい地点を把握して、その後の運行時に役立てることが可能となっている。
【０００７】
しかしながら、この従来の輸送品質サポートシステムでは、例えば、移動体側装置による測定処理中（物品の輸送中）に測定された「設置値よりも低い加速度」に関して、そのような加速度がいずれの位置において測定されたかを特定する作業が非常に煩雑となっている。具体的には、まず、加速度波形等を参照して、測定位置を特定すべき加速度が測定された位置の「出発地点からの距離」や「測定時刻」を特定し、次いで、地図表示部内の地図を参照して、特定した距離の位置、または特定した測定時刻において移動体側装置が位置していた地点を特定する。この場合、地図表示部には、出発地点からの距離や、各地点毎の移動体側装置が位置していた時刻（測定時刻）を直接的に特定し得る情報が表示されていない。このため、従来の輸送品質サポートシステムでは、設定値以下の加速度が測定された位置を特定する作業が煩雑であるだけでなく、その位置を正確に特定すること自体が非常に困難であるという問題点が存在する。
【０００８】
また、従来の輸送品質サポートシステムでは、前述したように、設定値を超える加速度が測定された位置については、「測定された加速度の値」が地図表示部内の地図中に表示されるため、地図表示部を参照するだけで、その位置において測定された加速度を把握することが可能となっている。しかしながら、従来の輸送品質サポートシステムでは、設定値以下の加速度が測定された各位置のうちの任意の位置において、どの程度の加速度が測定されたかを特定する作業も非常に煩雑となっている。具体的には、まず、地図表示部内の地図を参照して、測定された加速度を特定すべき位置の「出発地点からの距離」または「移動体側装置がその地点に位置していた時刻（測定時刻）」を推定し、次いで、推定した情報に基づいて加速度波形等を参照することで、その地点において測定された加速度を特定する。このため、従来の輸送品質サポートシステムでは、設定値以下の加速度が測定された各位置のうちの任意の位置において測定された加速度を特定する作業が煩雑であるだけでなく、その位置において測定された加速度を正確に特定することも非常に困難であるという問題点が存在する。
【０００９】
本発明は、かかる問題点に鑑みてなされたものであり、測定された物理量と、その物理量が測定された位置との関係を正確かつ容易に特定させ得る測定結果表示装置を備えた測定システムを提供することを主目的とする。
【課題を解決するための手段】
【００１０】
上記目的を達成すべく請求項１記載の測定システムは、測定装置および測定結果表示装置を備えて構成された測定システムであって、前記測定装置は、測定対象の物理量を測定して測定データを生成する測定処理を実行する測定部と、現在位置を測位して測位データを生成する測位処理を実行する測位部と、前記測定データおよび前記測位データを記憶する測定装置側記憶部と、前記測定部を制御して予め設定された時間間隔で前記測定処理を実行させ、かつ前記測位部を制御して少なくとも前記測定部による前記測定処理時における現在位置を特定可能に前記測位処理を実行させると共に、前記測定データ、および当該測定データの生成時に生成された前記測位データを相互に関連付けて前記測定装置側記憶部に順次記憶させるデータ記憶処理を実行する測定装置側処理部とを備えて構成され、前記測定結果表示装置は、地図データを記憶する表示装置側記憶部と、前記データ記憶処理によって前記記憶部に記憶された複数の前記測定データおよび前記測位データを取得して当該各測定データの各測定値を測定値表示画面に表示させると共に、当該測定値表示画面に表示させる測定値の前記測定データが生成された位置を前記測位データに基づいて特定して当該測定データが生成された位置を含む領域の地図を前記地図データに基づいて測定位置表示画面に表示させる表示処理を実行する表示装置側処理部とを備えて構成され、前記表示装置側処理部は、前記表示処理において、前記測定値表示画面に表示させた複数の測定値のうちからいずれかの測定値が指定されたときに、当該指定された測定値を特定可能な第１識別表示を当該測定値表示画面に表示させると共に、前記指定された測定値の前記測定データが生成された位置を示す第２識別表示を前記測定位置表示画面に表示させる第１処理と、前記測定位置表示画面に表示させた前記地図中のいずれかの位置が指定され、かつ当該指定された位置において生成された前記測定データが存在するときに、当該地図中の当該指定された位置に前記第２識別表示を表示させると共に、当該指定された位置において生成された当該測定データの測定値を特定可能に前記第１識別表示を前記測定値表示画面に表示させる第２処理との少なくとも一方を実行可能に構成されている。
【００１１】
なお、例えばグラフによって各測定データの測定値を測定値表示画面に表示させる構成を採用した場合において、上記の「いずれかの測定値が指定されたとき」には、「グラフ上の任意の一点が直接的に指定されたとき」だけでなく、「測定値表示画面におけるグラフの近傍が指定されることで、指定された部位の近傍の値（グラフ上の任意の一点：一例として、指定された部位に最も近い一点）が間接的に指定されたとき」がこれに含まれる。同様にして、上記の「地図中のいずれかの位置が指定され、かつ指定された位置において生成された測定データが存在するとき」には、「指定された位置において生成された測定データが存在する地図中の一点（以下、「測定データ存在位置」ともいう）が直接的に指定されたとき」だけでなく、「測定データ存在位置の近傍の位置が指定されて、指定された位置の近傍の測定データ存在位置（一例として、指定された位置に最も近い測定データ存在位置）が間接的に指定されたとき」がこれに含まれる。
【００１２】
また、請求項２記載の測定システムは、請求項１記載の測定システムにおいて、前記表示装置側処理部は、前記第１処理を実行可能に構成されると共に、当該第１処理において、前記指定された測定値の前記測定データが生成された位置を含む領域の前記地図が前記測定位置表示画面に表示されていないときに、当該地図をスクロールさせて当該測定データが生成された位置を含む領域を当該測定位置表示画面に表示させる処理Ａ１と、当該地図を縮小して表示範囲を拡大することで当該測定データが生成された位置を含む領域を当該測定位置表示画面に表示させる処理Ａ２との少なくとも一方を実行する。なお、「地図をスクロールさせて表示させる」との処理には、「スクロールの開始以前に測定位置表示画面に表示されている地図（以下、「元の地図」ともいう）をスクロール方向に徐々に移動させつつ（スライドさせつつ）、元の地図の移動に伴って生じた領域に、その元の地図に繋がって表示されるべき地図（以下、「新たな地図」ともいう）を徐々に表示させるスクロール表示（元の地図から新たな地図に徐々に表示替えするスクロール表示）」を行う処理だけでなく、「元の地図から新たな地図に切り替えるようにして地図をスクロールさせるスクロール表示」を行う処理がこれに含まれる。
【００１３】
さらに、請求項３記載の測定システムは、請求項１または２記載の測定システムにおいて、前記表示装置側処理部は、前記第２処理を実行可能に構成されると共に、当該第２処理において、前記測定位置表示画面に表示させた前記地図中の任意の領域が指定され、かつ当該指定された領域内に前記測定データが生成された位置が複数存在するときに、当該複数の測定データの各測定値の範囲を特定可能に前記第１識別表示としての測定値範囲表示を前記測定値表示画面に表示させる。
【００１４】
また、請求項４記載の測定システムは、請求項１から３のいずれかに記載の測定システムにおいて、前記表示装置側処理部は、前記第１処理を実行可能に構成されると共に、当該第１処理において、前記測定データの生成順で連続する複数の測定値が指定されたときに、当該指定された各測定値の前記測定データが生成された各位置を含む前記地図中の領域を特定可能に前記第２識別表示としての測定位置範囲表示を前記測定位置表示画面に表示させる。
【００１５】
さらに、請求項５記載の測定システムは、請求項１または４記載の測定システムにおいて、前記表示装置側処理部は、前記表示処理において、複数の前記測定データが生成された各位置を特定可能な移動軌跡表示を前記測定位置表示画面に表示させる。
【００１６】
また、請求項６記載の測定システムは、請求項１から５のいずれかに記載の測定システムにおいて、通信部を備え、前記表示装置側処理部は、前記通信部を介して外部装置から前記地図データを取得して前記表示装置側記憶部に記憶させる。
【００１７】
また、請求項７記載の測定システムは、測定装置および測定結果表示装置を備えて構成された測定システムであって、前記測定装置は、測定対象の物理量を測定して測定データを生成する測定処理を実行する測定部と、現在位置を測位して測位データを生成する測位処理を実行する測位部と、前記測定データおよび前記測位データを記憶する測定装置側記憶部と、前記測定部を制御して予め設定された時間間隔で前記測定処理を実行させ、かつ前記測位部を制御して少なくとも前記測定部による前記測定処理時における現在位置を特定可能に前記測位処理を実行させると共に、前記測定データ、および当該測定データの生成時に生成された前記測位データを相互に関連付けて前記測定装置側記憶部に順次記憶させるデータ記憶処理を実行する測定装置側処理部とを備えて構成され、前記測定結果表示装置は、前記データ記憶処理によって前記測定装置側記憶部に記憶された複数の前記測定データおよび前記測定データを取得して当該各測定データの各測定値を測定値表示画面に表示させると共に、当該測定値表示画面に表示させる各測定値の前記各測定データが生成された各位置を当該各測定データに関連付けられている前記測位データに基づいて特定して当該各測定データが生成された各位置を特定可能な移動軌跡表示を測定位置表示画面に表示させる表示処理を実行する表示装置側処理部を備えて構成され、前記表示装置側処理部は、前記表示処理において、前記測定値表示画面に表示させた複数の測定値のうちからいずれかの測定値が指定されたときに、当該指定された測定値を特定可能な第１識別表示を当該測定値表示画面に表示させると共に、前記指定された測定値の前記測定データが生成された位置を示す第２識別表示を前記測定位置表示画面に表示させる第１処理と、前記測定位置表示画面に表示させた前記移動軌跡表示上のいずれかの位置が指定され、かつ当該指定された位置において生成された前記測定データが存在するときに、当該移動軌跡表示上の当該指定された位置に前記第２識別表示を表示させると共に、当該指定された位置において生成された当該測定データの測定値を特定可能に前記第１識別表示を前記測定値表示画面に表示させる第２処理との少なくとも一方を実行可能に構成されている。
【００１８】
なお、例えばグラフによって各測定データの測定値を測定値表示画面に表示させる構成を採用した場合において、上記の「いずれかの測定値が指定されたとき」には、「グラフ上の任意の一点が直接的に指定されたとき」だけでなく、「測定値表示画面におけるグラフの近傍が指定されることで、指定された部位の近傍の値（グラフ上の任意の一点：一例として、指定された部位に最も近い一点）が間接的に指定されたとき」がこれに含まれる。同様にして、上記の「移動軌跡表示上のいずれかの位置が指定され、かつ指定された位置において生成された測定データが存在するとき」には、「指定された位置において生成された測定データが存在する移動軌跡表示上の一点（以下、「測定データ存在位置」ともいう）が直接的に指定されたとき」だけでなく、「測定データ存在位置の近傍の位置が指定されて、指定された位置の近傍の測定データ存在位置（一例として、指定された位置に最も近い測定データ存在位置）が間接的に指定されたとき」がこれに含まれる。
【００１９】
さらに、請求項８記載の測定システムは、請求項７記載の測定システムにおいて、前記表示装置側処理部は、前記第１処理を実行可能に構成されると共に、当該第１処理において、前記指定された測定値の前記測定データが生成された位置を含む前記移動軌跡表示が前記測定位置表示画面に表示されていないときに、当該移動軌跡表示をスクロールさせて当該測定データが生成された位置を当該測定位置表示画面に表示させる処理Ｂ１と、および当該移動軌跡表示を縮小することで当該測定データが生成された位置を当該測定位置表示画面に表示させる処理Ｂ２との少なくとも一方を実行する。なお、「移動軌跡表示をスクロールさせて表示させる」との処理には、「スクロールの開始以前に測定位置表示画面に表示されている移動軌跡表示（以下、「元の移動軌跡表示」ともいう）をスクロール方向に徐々に移動させつつ（スライドさせつつ）、元の移動軌跡表示の移動に伴って生じた領域に、その元の移動軌跡表示に繋がって表示されるべき移動軌跡表示（以下、「新たな移動軌跡表示」ともいう）を徐々に表示させるスクロール表示（元の移動軌跡表示から新たな移動軌跡表示に徐々に表示替えするスクロール表示）」を行う処理だけでなく、「元の移動軌跡表示から新たな移動軌跡表示に切り替えるようにして移動軌跡表示をスクロールさせるスクロール表示」を行う処理がこれに含まれる。
【００２０】
また、請求項９記載の測定システムは、請求項７または８記載の測定システムにおいて、前記表示装置側処理部は、前記第２処理を実行可能に構成されると共に、当該第２処理において、測定位置表示画面に表示させた前記移動軌跡表示中の任意の範囲が指定されたときに、当該指定された範囲内において生成された複数の前記測定データの各測定値の範囲を特定可能に前記第１識別表示としての測定値範囲表示を前記測定値表示画面に表示させる。
【００２１】
さらに、請求項１０記載の測定システムは、請求項７から９のいずれかに記載の測定システムにおいて、前記表示装置側処理部は、前記第１処理を実行可能に構成されると共に、当該第１処理において、前記測定データの生成順で連続する複数の測定値が指定されたときに、当該指定された各測定値の前記測定データが生成された各位置を含む前記移動軌跡表示上の範囲を特定可能に前記第２識別表示としての測定位置範囲表示を前記測定位置表示画面に表示させる。
【００２２】
また、請求項１１記載の測定システムは、請求項１から１０のいずれかに記載の測定システムにおいて、前記表示装置側処理部は、前記第１処理を実行可能に構成されると共に、当該第１処理において、いずれかの前記測定値が指定された後に他の前記測定値が指定されたときに、指定された順序を特定可能に前記第１識別表示を前記測定値表示画面にそれぞれ表示させ、かつ当該指定された各測定値に対応する複数の前記第２識別表示を当該各測定値が指定された順序を特定可能に前記測定位置表示画面に表示させると共に、前記第２処理において、前記測定データが生成されたいずれかの位置が指定された後に他の位置が指定され、かつ当該他の位置において生成された測定データが存在するときに、指定された順序を特定可能に前記第２識別表示を前記測定位置表示画面にそれぞれ表示させ、かつ当該指定された各位置に対応する複数の前記第１識別表示を当該各位置が指定された順序を特定可能に前記測定値表示画面に表示させる。
【００２３】
さらに、請求項１２記載の測定システムは、請求項１から１１のいずれかに記載の測定システムにおいて、前記表示装置側処理部は、前記測定値表示画面および前記測定位置表示画面を１画面内に表示させる。
【００２４】
また、請求項１３記載の測定システムは、請求項１から１２のいずれかに記載の測定システムにおいて、前記表示装置側処理部は、前記表示処理において、前記測定値のレベルを第１の方向に対応させ、かつ前記データ記憶処理の開始時点からの経過時間と当該データ記憶処理中における前記測定装置の移動距離とのいずれか一方を前記第１の方向と交差する第２の方向に対応させたグラフによって前記各測定データの測定値を前記測定値表示画面に表示させると共に、前記経過時間と前記移動距離との他方を前記第２の方向に対応させるように指示されたときに、当該他方を当該第２の方向に対応させたグラフを前記測定値表示画面に表示させる。
【発明の効果】
【００２５】
請求項１記載の測定システムでは、表示処理において、測定値表示画面に表示させた複数の測定値のうちからいずれかの測定値が指定されたときに、指定された測定値を特定可能な第１識別表示を測定値表示画面に表示させると共に、指定された測定値の測定データが生成された位置を示す第２識別表示を測定位置表示画面に表示させる第１処理と、測定位置表示画面に表示させた地図中のいずれかの位置が指定され、かつ指定された位置において生成された測定データが存在するときに、地図中の指定された位置に第２識別表示を表示させると共に、指定された位置において生成された測定データの測定値を特定可能に第１識別表示を測定値表示画面に表示させる第２処理との少なくとも一方を実行可能に測定結果表示装置が構成されている。
【００２６】
また、請求項７記載の測定システムでは、表示処理において、測定値表示画面に表示させた複数の測定値のうちからいずれかの測定値が指定されたときに、指定された測定値を特定可能な第１識別表示を測定値表示画面に表示させると共に、指定された測定値の測定データが生成された位置を示す第２識別表示を測定位置表示画面に表示させる第１処理と、測定位置表示画面に表示させた移動軌跡表示上のいずれかの位置が指定され、かつ指定された位置において生成された測定データが存在するときに、移動軌跡表示上の指定された位置に第２識別表示を表示させると共に、指定された位置において生成された測定データの測定値を特定可能に第１識別表示を測定値表示画面に表示させる第２処理との少なくとも一方を実行可能に測定結果表示装置が構成されている。
【００２７】
したがって、請求項１，７記載の測定システムによれば、第１処理を実行可能な表示装置側処理部を備えて構成した場合には、測定値表示画面に表示されている各測定値のなかに、いずれの位置で測定されたかを特定したい測定値が存在するときに、その測定値を指定することで、指定した測定値を示す第１識別表示が測定値表示画面に表示され、かつ指定した測定値の測定データが生成された位置を示す第２識別表示が測定位置表示画面に表示される。これにより、指定した測定値と、その測定値が測定された位置との関係を正確かつ容易に特定させることができる。また、第２処理を実行可能な表示装置側処理部を備えて構成した場合には、測定位置表示画面に表示されている各地図や移動軌跡表示のなかに、どのような測定値が測定されたかを特定したい位置が存在するときに、その位置を指定することで、指定した位置を示す第２識別表示が測定位置表示画面に表示され、かつ指定した位置において生成された測定データの測定値を示す第１識別表示が測定値表示画面に表示される。これにより、指定した位置と、その位置において測定された測定値との関係を正確かつ容易に特定させることができる。
【００２８】
また、請求項２記載の測定システムでは、測定結果表示装置が、第１処理において、指定された測定値の測定データが生成された位置を含む領域の地図が測定位置表示画面に表示されていないときに、地図をスクロールさせて測定データが生成された位置を含む領域を測定位置表示画面に表示させる処理Ａ１と、地図を縮小して表示範囲を拡大することで測定データが生成された位置を含む領域を測定位置表示画面に表示させる処理Ａ２との少なくとも一方を実行する。また、請求項請求項８記載の測定システムでは、測定結果表示装置が、第１処理において、指定された測定値の測定データが生成された位置を含む移動軌跡表示が測定位置表示画面に表示されていないときに、移動軌跡表示をスクロールさせて測定データが生成された位置を測定位置表示画面に表示させる処理Ｂ１と、および移動軌跡表示を縮小することで測定データが生成された位置を測定位置表示画面に表示させる処理Ｂ２との少なくとも一方を実行する。したがって、請求項２，８記載の測定システムによれば、地図や移動軌跡表示を表示替えさせる煩雑な操作を行うことなく、指定した測定値と、その測定値が測定された位置との関係を一層容易に特定させることができる。
【００２９】
さらに、請求項３記載の測定システムでは、測定結果表示装置が、第２処理において、測定位置表示画面に表示させた地図中の任意の領域が指定され、かつ指定された領域内に測定データが生成された位置が複数存在するときに、複数の測定データの各測定値の範囲を特定可能に第１識別表示としての測定値範囲表示を測定値表示画面に表示させる。また、請求項９記載の測定システムでは、測定結果表示装置が、第２処理において、測定位置表示画面に表示させた移動軌跡表示中の任意の範囲が指定されたときに、指定された範囲内において生成された複数の測定データの各測定値の範囲を特定可能に第１識別表示としての測定値範囲表示を測定値表示画面に表示させる。したがって、請求項３，９記載の測定システムによれば、指定した領域（範囲）と、その領域（範囲）において測定された各測定値との関係を正確かつ容易に特定させることができる
【００３０】
また、請求項４記載の測定システムでは、測定結果表示装置が、第１処理において、測定データの生成順で連続する複数の測定値が指定されたときに、指定された各測定値の測定データが生成された各位置を含む地図中の領域を特定可能に第２識別表示としての測定位置範囲表示を測定位置表示画面に表示させる。また、請求項１０記載の測定システムでは、測定結果表示装置が、第１処理において、測定データの生成順で連続する複数の測定値が指定されたときに、指定された各測定値の測定データが生成された各位置を含む移動軌跡表示上の範囲を特定可能に第２識別表示としての測定位置範囲表示を測定位置表示画面に表示させる。したがって、請求項４，１０記載の測定システムによれば、指定した範囲内の測定値と、それらの測定値が測定された領域（範囲）との関係を正確かつ容易に特定させることができる。
【００３１】
さらに、請求項５記載の測定システムによれば、測定結果表示装置が、表示処理において、各測定データが生成された各位置を特定可能な移動軌跡表示を測定位置表示画面に表示させることにより、各測定値の測定データが生成された際に、測定装置がどのような移動軌跡で移動したのかを容易に特定させることができる。
【００３２】
さらに、請求項６記載の測定システムによれば、測定結果表示装置における表示装置側処理部が、通信部を介して外部装置から地図データを取得して表示装置側記憶部に記憶させることにより、測定装置が携行され得る全地域の詳細な地図データを表示装置側記憶部に記憶させておく必要がないため、ある程度少容量の表示装置側記憶部であっても、地図データを十分に記憶させることができる結果、測定結果表示装置（測定システム）の製造コストを低減することができる。また、地図データを固定的に記憶しておく構成とは異なり、外部装置において地図データが更新されたときに、新たな地図データに基づく最新の地図を測定位置表示画面に表示させることができるため、どのような地域において各測定値の測定データが生成されたのかを正確に特定させることができる。
【００３３】
また、請求項１１記載の測定システムでは、測定結果表示装置が、第１処理において、いずれかの測定値が指定された後に他の測定値が指定されたときに、指定された順序を特定可能に第１識別表示を測定値表示画面にそれぞれ表示させ、かつ指定された各測定値に対応する複数の第２識別表示を各測定値が指定された順序を特定可能に測定位置表示画面に表示させると共に、第２処理において、測定データが生成されたいずれかの位置が指定された後に他の位置が指定され、かつ、その位置において生成された測定データが存在するときに、指定された順序を特定可能に第２識別表示を測定位置表示画面にそれぞれ表示させ、かつ指定された各位置に対応する複数の第１識別表示を各位置が指定された順序を特定可能に測定値表示画面に表示させる。
【００３４】
したがって、請求項１１記載の測定システムによれば、いずれの位置において測定されたのかを特定したい測定値が複数存在するときに、各測定値がそれぞれどの位置において測定されたのかを正確かつ容易に特定させることができると共に、どのような測定値が測定されたのかを特定したい位置が複数存在するときに、各位置においてそれぞれ測定された測定値がどのような値であるかを正確かつ容易に特定させることができる。
【００３５】
さらに、請求項１２記載の測定システムによれば、測定結果表示装置において測定値表示画面および測定位置表示画面を１画面内に表示させることにより、指定した測定値と、その測定値が測定された位置との関係、および指定した位置と、その位置において測定された測定値との関係を一層容易に特定させることができる。
【００３６】
また、請求項１３記載の測定システムによれば、測定結果表示装置が、表示処理において、測定値のレベルを第１の方向に対応させ、かつデータ記憶処理の開始時点からの経過時間とデータ記憶処理中における測定装置の移動距離とのいずれか一方を第１の方向と交差する第２の方向に対応させたグラフによって各測定値を測定値表示画面に表示させると共に、経過時間と移動距離との他方を第２の方向に対応させるように指示されたときに、指示された他方を第２の方向に対応させたグラフを測定値表示画面に表示させることにより、経過時間を第２の方向に対応させたグラフ、すなわち、経過時間毎の測定値を示すグラフを測定値表示画面に表示させることで経過時間毎の測定値の変化を容易に把握させることができ、移動距離を第２の方向に対応させたグラフ、すなわち、移動距離毎の測定値を示すグラフを測定値表示画面に表示させることで移動距離毎の測定値の変化を容易に把握させることができるため、観察すべき内容に応じてこれらの表示態様を切り替えることで、測定値の変化の推移を正確に認識させることができる。
【図面の簡単な説明】
【００３７】
【図１】測定装置１の構成を示す構成図である。
【図２】表示部１５に表示させた測定値表示領域Ａａおよび測定位置表示領域Ａｂの一例を示す表示画面図である。
【図３】表示部１５に表示させた測定値表示領域Ａａおよび測定位置表示領域Ａｂの他の一例を示す表示画面図である。
【図４】表示部１５に表示させた測定値表示領域Ａａおよび測定位置表示領域Ａｂのさらに他の一例を示す表示画面図である。
【図５】表示部１５に表示させた測定値表示領域Ａａおよび測定位置表示領域Ａｂのさらに他の一例を示す表示画面図である。
【図６】表示部１５に表示させた測定値表示領域Ａａおよび測定位置表示領域Ａｂのさらに他の一例を示す表示画面図である。
【図７】表示部１５に表示させた測定値表示領域Ａａおよび測定位置表示領域Ａｂのさらに他の一例を示す表示画面図である。
【図８】表示部１５に表示させた測定値表示領域Ａａおよび測定位置表示領域Ａｂのさらに他の一例を示す表示画面図である。
【図９】表示部１５に表示させた測定値表示領域Ａａおよび測定位置表示領域Ａｂのさらに他の一例を示す表示画面図である。
【発明を実施するための形態】
【００３８】
以下、本発明に係る測定システムの実施の形態について、添付図面を参照して説明する。
【００３９】
図１に示す測定装置１は、「測定装置」および「測定結果表示装置」を一体化した「測定システム」の一例であって、移動体（車両、船舶および飛行機等の各種乗り物による移動においては「乗り物」で、徒歩による移動においては「人」）に設置されて移動体と共に移動しつつ、測定対象についての物理量（電流値、電圧値、抵抗値、電力値および位相などの電気的パラメータや、温度、湿度、輝度（光度）、照度、雨量および流量などの各種パラメータ：一例として、電圧）を測定し、その測定値を記憶することができるように構成されている。この測定装置１は、測定部１１、測位部１２、通信部１３、操作部１４、表示部１５、記憶部１６および制御部１７を備えて構成されている。この場合、本例の測定装置１では、測定部１１、測位部１２、操作部１４、表示部１５、記憶部１６および制御部１７が相まって「測定装置」が構成されると共に、通信部１３、操作部１４、表示部１５、記憶部１６および制御部１７が相まって「測定結果表示装置」が構成されている。
【００４０】
測定部１１は、制御部１７の制御に従い、測定対象の電圧値（一例として、回生ブレーキ付き電気自動車のバッテリ電圧）を予め規定された測定時間間隔で測定して測定データＤｓを生成し、生成した測定データＤｓを制御部１７に出力する「測定処理」を実行する。測位部１２は、制御部１７の制御に従い、ＧＰＳ衛星２，２・・から送信されているＧＰＳ信号Ｓｇを受信すると共に、受信したＧＰＳ信号Ｓｇに基づいて測定装置１の現在位置を測位し、測位結果を示す測位データＤｐを生成して制御部１７に出力する「測位処理」を実行する。なお、ＧＰＳ信号Ｓｇに基づく現在位置の測位の具体的な手順については公知のため、詳細な説明を省略する。
【００４１】
通信部１３は、一例として、通信ネットワークＮ（一例として、無線データ通信網）に接続可能に構成されると共に、制御部１７の制御に従い、通信ネットワークＮを介して地図データサーバ３（「外部装置」の一例）に接続し、地図データサーバ３から地図データＤｍを受信して制御部１７に転送する。なお、通信ネットワークＮに測定装置１（通信部１３）を直接的に接続する構成を例に挙げて説明するが、このような構成に代えて（または、このような構成に加えて）、測定装置１に「無線ＬＡＮ」や「ブルートゥース」等の「近距離無線通信部」を配設して、この「近距離無線通信部」と、携帯電話やスマートフォン等の「通信端末」とを相互に接続した状態において、「通信端末」を介して通信ネットワークＮに測定装置１を接続させる構成を採用することもできる。
【００４２】
操作部１４は、測定装置１による測定処理条件を設定するための操作スイッチや、表示部１５の前面側に設けられたタッチパネルを備え、スイッチ操作やタッチ操作に応じた操作信号を制御部１７に出力する。なお、タッチパネルに代えて、（または、タッチパネルに加えて）カーソル移動キーやマウス等の各種ポインティングデバイスを備えて操作部１４を構成することもできる。表示部１５は、一例として液晶表示パネルを備え、制御部１７の制御に従い、図２〜９に示すように、測定値表示領域Ａａ（「測定値表示画面」の一例）や測定位置表示領域Ａｂ（「測定位置表示画面」の一例）などを表示する。記憶部１６は、「測定装置側記憶部」および「表示装置側記憶部」に相当し、一例として、フラッシュメモリ等のリムーバブルメディアで構成され、制御部１７の制御に従い、上記の地図データＤｍ、測定データＤｓおよび測位データＤｐなどを記憶する。
【００４３】
制御部１７は、「測定装置側処理部」および「表示装置側処理部」に相当し、測定装置１を総括的に制御する。具体的には、制御部１７は、予め設定された測定条件に従い、測定部１１を制御して測定処理を実行させ、かつ測位部１２を制御して上記の測位処理を実行させる（「測定装置側処理部」としての制御処理）。この場合、本例の測定装置１では、一例として、測定部１１による測定処理の開始に連動して測位部１２による測位処理が開始され、かつ測定部１１による測定処理の終了に連動して測位部１２による測位処理が終了する使用形態と、操作部１４の測位開始／停止スイッチ（図示せず）が操作されてから測位開始／停止スイッチが再び操作されるまでの間に、測定部１１による測定処理が実行されているか否かを問わず、測位部１２による測位処理が継続的に実行される使用形態とのいずれかを利用者が選択することができるように構成されている。
【００４４】
また、制御部１７は、一例として、測位部１２による測位処理が開始されたときに、測位部１２から出力される測位データＤｐに基づいて測定装置１の現在位置を特定すると共に、特定した位置の地図データＤｍが記憶部１６に記憶されていないときに、通信部１３を介して地図データサーバ３から地図データＤｍをダウンロードして（取得して）記憶部１６に記憶させる（「表示装置側処理部」としての制御処理）。なお、地図データＤｍに関しては、例えば操作部１４の操作によって指定した地域の地図データＤｍをダウンロードして記憶部１６に記憶させる処理を、測位部１２による測位処理とは無関係に予め実行しておくこともできる。
【００４５】
さらに、制御部１７は、測定部１１から出力される測定データＤｓ、およびその測定データＤｓの生成時に測位部１２から出力された測位データＤｐを相互に関連付けて記憶部１６に順次記憶させる（「測定装置側処理部」としての制御処理）。なお、本例では、測定部１１および測位部１２を制御して測定処理や測位処理を実行させると共に、測定データＤｓや測位データＤｐを相互に関連付けて測定装置１に記憶させる処理が「データ記憶処理」に相当する。
【００４６】
また、制御部１７は、上記の「データ記憶処理」によって記憶部１６に記憶させた測定データＤｓの各測定値を測定値表示領域Ａａ（図２〜９参照）に表示させる（「表示装置側処理部」としての制御処理）。この場合、図２〜９に示すように、本例の測定装置１では、測定データＤｓに基づいて特定した測定値のレベル（この例では、電圧値のレベル）を上下方向（「第１の方向」の一例）に対応させ、かつ上記の「データ記憶処理の開始時点からの経過時間」と、「データ記憶処理中における測定装置１の移動距離」とのいずれか一方を左右方向（「第１の方向と交差する第２の方向」の一例）に対応させたグラフＧによって各測定データＤｓの測定値を測定値表示領域Ａａ内に表示させる構成が採用されている。
【００４７】
さらに、制御部１７は、上記の「データ記憶処理」によって記憶部１６に記憶させた測位データＤｐに基づき、測定値表示領域Ａａに表示させる各測定値の測定データＤｓが生成された位置を特定すると共に、図２〜９に示すように、測定データＤｓが生成された位置を含む領域の地図ＭＰを地図データＤｍに基づいて測定位置表示領域Ａｂ内に表示させ、かつ測定データＤｓが生成された位置を測定データＤｓの生成順に結んだ移動軌跡表示ＭＬを測定位置表示領域Ａｂに表示させる（「表示装置側処理部」としての制御処理）。この場合、本例の測定装置１では、測定値表示領域ＡａへのグラフＧの表示、および測定位置表示領域Ａｂへの地図ＭＰや移動軌跡表示ＭＬの表示が「表示処理」に相当する。
【００４８】
なお、測定データＤｓが生成された位置を測定データＤｓの生成順に結んだ移動軌跡表示ＭＬに代えて、各測定データＤｓが生成された各位置を示すマーク（例えば、点）を「移動軌跡表示」として測定位置表示領域Ａｂに表示させる構成を採用することもできる。また、本例の測定装置１では、測定値表示領域Ａａおよび測定位置表示領域Ａｂを１画面内に並べて表示させる構成が採用されているが、このような構成に代えて、測定値表示領域Ａａと測定位置表示領域Ａｂとを重ねて１画面内に表示させる構成（例えば、測定値表示領域Ａａおよび測定位置表示領域Ａｂのいずれか一方を透過させて他方の上に表示させる構成）や、測定値表示領域Ａａおよび測定位置表示領域Ａｂを切り替えていずれか一方を表示させる構成を採用することもできる。
【００４９】
この場合、制御部１７は、後述するように、上記の「表示処理」において、測定値表示領域ＡａにグラフＧによって表示させた各測定値のうちからいずれかの測定値が指定されたとき（グラフＧのいずれかの部位が選択されたとき）に、指定された測定値を特定可能な識別表示Ｍａ１〜Ｍａ６等（図３〜９参照：この例では、「○」中に、指定された順序を示す「算用数字」を描いたマーク、およびグラフＧの任意の位置を指し示す「矢印」：「第１識別表示」の一例：以下、区別しないときには「識別表示Ｍａ」ともいう）を測定値表示領域Ａａに表示させる。
【００５０】
また、制御部１７は、各測定値のうちからいずれかの測定値が指定されたときに、指定された測定値の測定データＤｓが生成された位置を示す識別表示Ｍｂ１〜Ｍｂ６等（図３〜９参照：この例では、「○」中に、指定された順序を示す「算用数字」を描いたマーク、および任意の位置を指し示す「矢印」：「第２識別表示」の一例：以下、区別しないときには「識別表示Ｍｂ」ともいう）を測定位置表示領域Ａｂに表示させる（「表示装置側処理部」としての制御処理）。なお、本例では、各測定値のうちからいずれかの測定値が指定されたとき識別表示Ｍａ，Ｍｂを表示させる処理が「第１処理」に相当する。
【００５１】
さらに、制御部１７は、後述するように、上記の「表示処理」において、測定位置表示領域Ａｂに表示させた地図ＭＰ中の（移動軌跡表示ＭＬ上の）いずれかの位置が指定され、かつ指定された位置において生成された測定データＤｓが存在するときに、地図ＭＰ中（移動軌跡表示ＭＬ上）の指定された位置に識別表示Ｍｂを表示させると共に、指定された位置において生成された測定データＤｓの測定値を特定可能に識別表示Ｍａを測定値表示領域Ａａに表示させる（「表示装置側処理部」としての制御処理）。なお、本例では、地図ＭＰ中（移動軌跡表示ＭＬ上）のいずれかの位置が指定され、かつ指定された位置において生成された測定データＤｓが存在するときに、識別表示Ｍｂ，Ｍａを表示させる処理が「第２処理」に相当する。
【００５２】
この測定装置１の使用に際しては、まず、測定対象（この例では、電気自動車におけるバッテリの出力端子）に測定部１１を接続する。なお、上記した「表示処理」については、「データ記憶処理」と並行して実行させることもできるが、測定装置１において実行される各処理についての理解を容易とするために、一例として、「データ記憶処理」の完了後に「表示処理」を実行する例について、以下に説明する。また、本例の測定装置１では、前述したように、測位部１２による測位処理に関して２つの使用形態のいずれかを選択することができるように構成されているが、測定装置１において実行される各処理についての理解を容易とするために、以下、一例として、測定部１１による測定処理に連動して測位部１２による測位処理が実行される使用形態が選択されているものとして説明する。
【００５３】
次いで、操作部１４の図示しないスタートスイッチを操作することにより、測定部１１による測定処理および測位部１２による測位処理を開始させる。この際に、測定部１１は、制御部１７の制御に従い、バッテリの出力端子間電圧を測定して測定データＤｓを生成し、生成した測定データＤｓを制御部１７に出力する（「測定処理」の一例）。この場合、制御部１７は、予め設定された測定条件に従い、測定部１１を制御して、例えば０．５秒間隔の周期（「予め設定された時間間隔」の一例）で上記の測定処理を実行させる。
【００５４】
また、測位部１２は、制御部１７の制御に従い、ＧＰＳ衛星２，２・・からのＧＰＳ信号Ｓｇを受信すると共に、受信したＧＰＳ信号Ｓｇに基づいて測定装置１の現在位置を測位して測位データＤｐを生成し、生成した測位データＤｐを制御部１７に出力する（「測位処理」の一例）。この場合、制御部１７は、測位部１２を制御して、上記の測定部１１による測定処理に同期させて０．５秒間隔の周期で上記の「測位処理」を実行させる。
【００５５】
一方、制御部１７は、測定部１１から出力された測定データＤｓと、その測定データＤｓの生成時に測位部１２によって生成された（測位部１２から出力された）測位データＤｐとを相互に関連付けて記憶部１６に順次記憶させる（「データ記憶処理」の一例）。また、制御部１７は、測定データＤｓおよび測位データＤｐの記憶部１６への記憶処理と並行して、測定データＤｓの測定値（電圧値）を表示部１５の測定値表示領域Ａａ内に順次プロットすることにより、一例として、測定装置１の移動距離毎の電圧値を示すグラフＧを測定値表示領域Ａａ内に描画する。
【００５６】
また、制御部１７は、測位データＤｐに基づいて測定装置１の現在位置を特定し、特定した現在位置の地図データＤｍが記憶部１６に記憶されているか否かを判別する。この際に、現在位置の地図データＤｍが記憶部１６に記憶されていないときには、制御部１７は、通信部１３を制御して地図データサーバ３から地図データＤｍを受信させ、受信された地図データＤｍを記憶部１６に記憶させる。さらに、制御部１７は、地図データＤｍに基づき、特定した現在位置の地図ＭＰを表示部１５の測定位置表示領域Ａｂに表示させると共に、特定した現在位置に対応する位置に、現在位置を示すマーク（一例として、「＋」の印）を表示させる（図示せず）。
【００５７】
この状態において測定対象のバッテリが搭載された車両を走行させたときには、走行状態（バッテリを電源として使用しているモータ等に加わる負荷）に応じてバッテリの出力端子間電圧が変化し、この出力端子間電圧が０．５秒間隔の周期で測定部１１によって測定されて測定データＤｓが順次生成される。また、車両の移動に伴って測定装置１の現在位置が逐次変化し、測定部１１による測定処理の実行時における測定装置１の現在位置が測位部１２によって逐次測位されて測位データＤｐが生成される。これにより、走行状態に応じて変化する電圧値の測定データＤｓと、その測定データＤｓの生成時における測定装置１の現在位置を特定し得る測位データＤｐとが相互に関連付けられて記憶部１６に順次記憶される。
【００５８】
なお、上記の例とは相異するが、例えば、測定部１１による測定処理の実行周期が短く、測位部１２による測位処理を測定部１１による測定処理の周期で実行するのが困難な場合には、一例として、１回の測位処理によって測位した現在位置を、連続する複数回の測定処理時の現在位置として、測定順で連続する複数の測定データＤｓに１つの測位データＤｐを関連付けて記憶部１６に記憶させたり、測定順で連続する複数の測定データＤｓに、複製した複数の測位データＤｐをそれぞれ関連付けて記憶部１６に記憶させたりすることができる。
【００５９】
また、制御部１７は、記憶部１６に記憶させた測定データＤｓに基づいて測定値表示領域Ａａ内のグラフＧを逐次更新する（新たに記憶させた測定データＤｓの電圧値をプロットする）と共に、測位データＤｐに基づいて特定した現在位置を示すマークを移動させて地図ＭＰ上に描画する。この際に、車両の移動に伴い、記憶部１６に記憶されている地図データＤｍでは現在位置の地図ＭＰを測定位置表示領域Ａｂに表示させることができなくなるときに、制御部１７は、通信部１３を制御して地図データサーバ３から必要な地図データＤｍを受信させ、受信された地図データＤｍを記憶部１６に記憶させて現在位置を含む地図ＭＰを測定位置表示領域Ａｂ内に表示させる。
【００６０】
この後、所望の量（所望の時間分のデータ数）の測定データＤｓを得られたときに、操作部１４のストップスイッチ（図示せず）を操作する。この際に、制御部１７は、測定部１１を制御して測定処理を終了させると共に、測位部１２を制御して測位処理を終了させる。また、制御部１７は、記憶部１６に記憶させた各測定データＤｓ，Ｄｓ・・および測位データＤｐ，Ｄｐ・・を合成して１つのデータファイルを生成し、生成したデータファイルを、予め規定された手順に従って決定したファイル名（または、利用者が予め設定したファイル名）で記憶部１６に記憶させる。
【００６１】
なお、スタートスイッチの操作によって測定処理および測位処理を開始させ、ストップスイッチの操作によって両処理を終了させる例について説明したが、このような使用形態に代えて、例えば、測定部１１によって測定対象の物理量（例えば、電圧値）を所定時間間隔で測定すると共に、予め設定された値以上（または、予め設定された値以下）の測定値が測定されたときに、これをトリガーとして上記の測定処理および測位処理を開始させ、かつ予め設定された値を下回る（または、予め設定された値を超える）測定値が測定されたときに、これをトリガーとして上記の測定処理および測位処理を終了させたり、測位部１２によって測定装置１の現在位置を所定時間間隔で測位すると共に、測定装置１が移動したとき（現在位置が変化したとき）に、これをトリガーとして上記の測定処理および測位処理を開始させ、かつ測定装置１が静止状態となったとき（現在位置が変化しなくなったとき）に、これをトリガーとして上記の測定処理および測位処理を終了させたり、測位部１２によって測定装置１の現在位置を所定時間間隔で測位すると共に、測定装置１が予め規定された地点に位置したときに、これをトリガーとして上記の測定処理および測位処理を開始させ、かつ測定装置１が予め規定された他の地点に位置したときに、これをトリガーとして上記の測定処理および測位処理を終了させたりすることもできる。
【００６２】
一方、上記の測定処理および測位処理の結果を表示部１５に表示させてバッテリの出力端子間電圧の変化を観察する際には、操作部１４を操作して、観察すべき電圧値が記録されているデータファイルを指定する。この際に、制御部１７は、指定されたデータファイルを記憶部１６から読み出し、図２に示すように、読み出したデータファイルの測定データＤｓ，Ｄｓ・・に基づき、一例として、測定装置１の移動距離毎の電圧値を示すグラフＧを測定値表示領域Ａａ内に表示させると共に、最初の測定データＤｓの生成時に測定装置１が位置していた地点を含む地図ＭＰを測定位置表示領域Ａｂ内に表示させる。
【００６３】
具体的には、制御部１７は、まず、一例として、記憶部１６から読み出したデータファイル中の最初の測定データＤｓに関連付けられた測位データＤｐに基づき、最初の測定データＤｓが生成された際の測定装置１の位置を特定する。次いで、制御部１７は、特定した位置を含む領域の地図ＭＰの地図データＤｍが記憶部１６に記憶されているか否かを判別する。この際に、必要な地図データＤｍが記憶部１６に記憶されていないときには、制御部１７は、通信部１３を制御して、地図データサーバ３から地図データＤｍを受信させ、受信された地図データＤｍを記憶部１６に記憶させる。また、必要な地図データＤｍが記憶部１６に記憶されているとき、または、地図データサーバ３から取得した地図データＤｍの記憶部１６への記憶を完了したときに、制御部１７は、一例として、測位データＤｐに基づいて特定した位置が測定位置表示領域Ａｂの中心部に位置するように地図データＤｍに基づく地図ＭＰを測定位置表示領域Ａｂ内に表示させる。
【００６４】
次いで、制御部１７は、記憶部１６から読み出したデータファイル中の最後の測定データＤｓに関連付けられた測位データＤｐに基づき、最後の測定データＤｓが生成された際の測定装置１の位置を特定する。続いて、制御部１７は、最初の測定データＤｓに関連付けられた測位データＤｐに基づいて特定した位置（以下、「最初の位置」ともいう）に対応して識別表示Ｍｓ（最初の測定データＤｓが生成された位置を示すマーク）を地図ＭＰ上に描画すると共に、最後の測定データＤｓに関連付けられた測位データＤｐに基づいて特定した位置（以下、「最後の位置」ともいう）に対応して識別表示Ｍｅ（最後の測定データＤｓが生成された位置を示すマーク）を地図ＭＰ上に描画する。
【００６５】
次いで、制御部１７は、データファイル中の各測定データＤｓに関連付けられた測位データＤｐに基づき、各測定データＤｓが生成された際に測定装置１が位置していた地点をそれぞれ特定する。また、制御部１７は、上記の最初の位置から、各測位データＤｐに基づいて特定した位置までの距離（移動距離）を各測定データＤｓ毎にそれぞれ特定する。続いて、制御部１７は、各測定データＤｓの電圧値を、特定した距離に応じて測定値表示領域Ａａ内にプロットすることにより、前述した各測定処理によって各移動距離毎に測定された電圧値を示すグラフＧを測定値表示領域Ａａ内に表示させる。また、制御部１７は、各測位データＤｐに基づいて特定した位置に基づき、各測定データＤｓが生成された各位置を各測定データＤｓの生成順に結んだ移動軌跡表示ＭＬを測定位置表示領域Ａｂ内に描画する。
【００６６】
一方、測定値表示領域Ａａに表示されているグラフＧを見た利用者が表示部１５における位置Ｐ１にタッチしたときに（位置Ｐ１の電圧値がいずれの位置で測定されたかを特定したいときに実行する操作の一例）、制御部１７は、表示部１５の前面側に配設されているタッチパネルからの操作信号に基づき、グラフＧにおける位置Ｐ１（同図に破線で示した円形の領域の中央部）の電圧値が指定されたと判別する（「測定値表示画面に表示させた複数の測定値のうちからいずれかの測定値が指定されたとき」の一例）。この際に、制御部１７は、図３に示すように、まず、グラフＧにおいて指定された電圧値の位置に対応させて識別表示Ｍａ１（この例では、「○」中に、指定された順序を示す「１」を描いたマーク、およびグラフＧの任意の電圧値を指し示す「矢印」：「第１識別表示」の一例）を測定値表示領域Ａａ内に表示させる。
【００６７】
また、制御部１７は、指定された電圧値の測定データＤｓに関連付けられている測位データＤｐに基づき、その測定データＤｓが生成された位置を特定する。この場合、特定した位置を含む領域の地図ＭＰや移動軌跡表示ＭＬが測定位置表示領域Ａｂ内に表示されているこの例では、特定した位置を示す識別表示Ｍｂ１（この例では、「○」中に、指定された順序を示す「１」を描いたマーク、および地図ＭＰや移動軌跡表示ＭＬの任意の位置を指し示す「矢印」：「第２識別表示」の一例）を測定位置表示領域Ａｂにおける地図ＭＰ上（移動軌跡表示ＭＬ上）に表示させる。これにより、測定値表示領域Ａａにおいて識別表示Ｍａ１によって指し示されている電圧値が、測定位置表示領域Ａｂにおいて識別表示Ｍｂ１によって指し示されている位置で測定されたことを直感的に認識することが可能となる。
【００６８】
また、利用者が表示部１５における位置Ｐ２にタッチしたときに（位置Ｐ２の電圧値がいずれの位置で測定されたかを特定したいときに実行する操作の一例）、制御部１７は、グラフＧにおける位置Ｐ２の電圧値が指定されたと判別する（「測定値表示画面に表示させた複数の測定値のうちからいずれかの測定値が指定されたとき」の他の一例であって、「いずれかの測定値が指定された後に他の測定値が指定されたとき」の一例）。この際に、制御部１７は、図４に示すように、測定値表示領域Ａａ内に識別表示Ｍａ１を表示させた状態を維持しつつ、グラフＧにおいて新たに指定された電圧値の位置に対応させて識別表示Ｍａ２（この例では、「○」中に、指定された順序を示す「２」を描いたマーク、およびグラフＧの任意の電圧値を指し示す「矢印」：「第１識別表示」の他の一例）を測定値表示領域Ａａ内に表示させる（「指定された順序を特定可能に第１識別表示をそれぞれ表示させる」との処理の一例）。
【００６９】
また、制御部１７は、新たに指定された電圧値の測定データＤｓが生成された位置を特定する。この場合、位置Ｐ２のタッチによって電圧値が指定された時点において、その電圧値の測定データＤｓに関連付けられている測位データＤｐに基づいて特定される位置を含む領域の地図ＭＰや移動軌跡表示ＭＬが測定位置表示領域Ａｂ内に表示されていないこの例では、制御部１７は、まず、測位データＤｐに基づいて特定した位置を含む地図ＭＰの地図データＤｍが記憶部１６に記憶されているか否かを判別する。この際に、必要な地図データＤｍが記憶部１６に記憶されていないときには、制御部１７は、通信部１３を制御して、地図データサーバ３から地図データＤｍを受信させ、受信された地図データＤｍを記憶部１６に記憶させる。
【００７０】
なお、以下の説明において、測定位置表示領域Ａｂ内に表示させるべき地図ＭＰの地図データＤｍが記憶部１６に記憶されていないときに通信部１３を介して地図データサーバ３から地図データＤｍを取得して記憶部１６に記憶させる処理についての説明を省略する。また、必要な地図データＤｍが記憶部１６に記憶されているとき、または、地図データサーバ３から取得した地図データＤｍの記憶部１６への記憶を完了したときに、制御部１７は、一例として、識別表示Ｍｂ１によって指し示している位置と、測位データＤｐに基づいて新たに特定した位置（２番目に指定された測定値の測定データＤｓが生成された位置）との双方が測定位置表示領域Ａｂ内に表示されるように地図データＤｍに基づく地図ＭＰをスクロールさせて測定位置表示領域Ａｂ内に表示させる（「処理Ａ１」の一例）。
【００７１】
さらに、制御部１７は、測位データＤｐに基づいて新たに特定した位置の周辺に上記の移動軌跡表示ＭＬを表示させる（移動軌跡表示ＭＬのスクロール表示：「処理Ｂ１」の一例）。なお、上記の「処理Ａ１」や「処理Ｂ１」に代えて測定位置表示領域Ａｂ内の地図ＭＰや移動軌跡表示ＭＬを縮小してその表示範囲を拡大することにより、特定した位置が測定位置表示領域Ａｂ内に表示されるように地図ＭＰや移動軌跡表示ＭＬを表示させることもできる（「処理Ａ２」および「処理Ｂ２」の一例）。
【００７２】
続いて、制御部１７は、測定位置表示領域Ａｂ内に識別表示Ｍｂ１を表示させた状態を維持しつつ、新たに特定した位置を示す識別表示Ｍｂ２（この例では、「○」中に、指定された順序を示す「２」を描いたマーク、および地図ＭＰや移動軌跡表示ＭＬの任意の位置を指し示す「矢印」：「第２識別表示」の他の一例）を測定位置表示領域Ａｂにおける地図ＭＰ上（移動軌跡表示ＭＬ上）に表示させる（「指定された各測定値に対応する複数の第２識別表示を各測定値が指定された順序を特定可能に表示させる」との処理の一例）。これにより、測定値表示領域Ａａにおいて識別表示Ｍａ２によって指し示されている電圧値が、測定位置表示領域Ａｂにおいて識別表示Ｍｂ２によって指し示されている位置で測定されたことを直感的に認識することが可能となる。
【００７３】
一方、測定位置表示領域Ａｂに表示されている地図ＭＰや移動軌跡表示ＭＬを見た利用者が表示部１５における位置Ｐ３にタッチしたときに（位置Ｐ３において測定された電圧値を特定したいときに実行する操作の一例）、制御部１７は、地図ＭＰ上（移動軌跡表示ＭＬ上）における位置Ｐ３（同図に破線で示した円形の領域の中央部）の位置が指定されたと判別する（「測定位置表示画面に表示させた地図中のいずれかの位置が指定されたとき」、および「測定位置表示画面に表示させた移動軌跡表示上のいずれかの位置が指定されたとき」の一例）。この際に、制御部１７は、まず、指定された位置において生成された測定データＤｓが存在するか否かを判別する。
【００７４】
この場合、本例とは相異するが、例えば、表示部１５における位置Ｐ３ａにタッチされて位置Ｐ３ａの位置が指定されたときに、制御部１７は、位置Ｐ３ａにおいて生成された測定データＤｓが存在しないと判別し、一例として「その場所で測定された測定値はありません」とのメッセージを表示部１５に表示させる。一方、利用者によって指定された位置Ｐ３において生成された測定データＤｓが存在する本例では、制御部１７は、図５に示すように、まず、指定された位置に対応させて識別表示Ｍｂ３（この例では、「○」中に、指定された順序を示す「３」を描いたマーク、および地図ＭＰや移動軌跡表示ＭＬ上の任意の位置を指し示す「矢印」：「第２識別表示」のさらに他の一例）を測定位置表示領域Ａｂ内に表示させる。
【００７５】
次いで、制御部１７は、指定された位置において生成された測定データＤｓの電圧値（グラフＧ）が測定値表示領域Ａａに表示されているか否かを判別する。この際に、位置Ｐ３において生成された測定データＤｓの電圧値（グラフＧ）が測定値表示領域Ａａ内に表示されていないときには、制御部１７は、一例として、識別表示Ｍａ１，Ｍａ２によって指し示している各電圧値、および位置Ｐ３において生成された測定データＤｓの電圧値のすべてを含むグラフＧが測定値表示領域Ａａ内に表示されるようにグラフＧを縮小して電圧値の表示範囲を拡大する。
【００７６】
続いて、制御部１７は、位置Ｐ３において生成された測定データＤｓの電圧値を特定可能に識別表示Ｍａ３（この例では、「○」中に、指定された順序を示す「３」を描いたマーク、およびグラフＧの任意の電圧値を指し示す「矢印」：「第１識別表示」のさらに他の一例）を測定値表示領域ＡａにおけるグラフＧ上に表示させる。これにより、測定位置表示領域Ａｂにおいて識別表示Ｍｂ３によって指し示されている位置において測定された電圧値が、測定値表示領域Ａａにおいて識別表示Ｍａ３によって指し示されている電圧値であることを直感的に認識することが可能となる。
【００７７】
なお、上記の例とは相異するが、図４に示す状態の測定値表示領域Ａａ内に識別表示Ｍａ１，Ｍａ２によって指し示している各電圧値、および位置Ｐ３において生成された測定データＤｓの電圧値のすべてを含むグラフＧが既に表示されているときには、制御部１７は、測定値表示領域Ａａ内のグラフＧを縮小することなく、識別表示Ｍａ１，Ｍａ２に加えて識別表示Ｍａ３を測定値表示領域Ａａ内に描画する。
【００７８】
また、利用者が表示部１５における位置Ｐ４にタッチしたときに（位置Ｐ４において測定された電圧値を特定したいときに実行する操作の一例）、制御部１７は、地図ＭＰ上（移動軌跡表示ＭＬ上）における位置Ｐ４の位置が指定されたと判別する（「測定位置表示画面に表示させた地図中のいずれかの位置が指定されたとき」、および「測定位置表示画面に表示させた移動軌跡表示上のいずれかの位置が指定されたとき」の他の一例であって、「測定データが生成されたいずれかの位置が指定された後に他の位置が指定されたとき」の一例）。
【００７９】
この際に、制御部１７は、まず、指定された位置において生成された測定データＤｓが存在するか否かを判別し、存在するときには、図６に示すように、測定位置表示領域Ａｂ内に識別表示Ｍｂ１〜Ｍｂ３を表示させた状態を維持しつつ、新たに指定された位置に対応させて識別表示Ｍｂ４（この例では、「○」中に、指定された順序を示す「４」を描いたマーク、および地図ＭＰや移動軌跡表示ＭＬ上の任意の位置を指し示す「矢印」：「第２識別表示」のさらに他の一例）を測定位置表示領域Ａｂ内に表示させる（「指定された順序を特定可能に第２識別表示をそれぞれ表示させる」との処理の一例）。この場合、上記の例では、指定された位置Ｐ４が測定位置表示領域Ａｂの上端部寄りの位置であるため、制御部１７は、測定位置表示領域Ａｂ内の地図ＭＰおよび移動軌跡表示ＭＬを縮小してその表示範囲を拡大した後に、識別表示Ｍｂ４を描画する。
【００８０】
次いで、制御部１７は、指定された位置において生成された測定データＤｓの電圧値（グラフＧ）が測定値表示領域Ａａに表示されているか否かを判別する。この際に、位置Ｐ４において生成された測定データＤｓの電圧値（グラフＧ）が測定値表示領域Ａａ内に表示されているときには、制御部１７は、位置Ｐ４において生成された測定データＤｓの電圧値を特定可能に識別表示Ｍａ４（この例では、「○」中に、指定された順序を示す「４」を描いたマーク、およびグラフＧの任意の電圧値を指し示す「矢印」：「第１識別表示」のさらに他の一例）を測定値表示領域ＡａにおけるグラフＧ上に表示させる（「指定された各位置に対応する複数の第１識別表示を各位置が指定された順序を特定可能に表示させる」との処理の一例）。これにより、測定位置表示領域Ａｂにおいて識別表示Ｍｂ４によって指し示されている位置において測定された電圧値が、測定値表示領域Ａａにおいて識別表示Ｍａ４によって指し示されている電圧値であることを直感的に認識することが可能となる。
【００８１】
さらに、測定値表示領域Ａａに表示されているグラフＧを見た利用者が表示部１５における位置Ｐ５ａから位置Ｐ５ｂまで矢印Ｐ５の向きでドラッグ操作したときに（位置Ｐ５ａから位置Ｐ５ｂまでの各電圧値がいずれの位置で測定されたかを特定したいときに実行する操作の一例）、制御部１７は、グラフＧにおける位置Ｐ５ａ〜Ｐ５ｂまでの範囲内の各電圧値が指定されたと判別する（「測定データの生成順で連続する複数の測定値が指定されたとき」の一例）。この際に、制御部１７は、図７に示すように、まず、グラフＧにおいて指定された電圧値の範囲に対応させて範囲表示Ｍａ５Ｌ（この例では、グラフＧにおいて対応する範囲内の線の太さを他の部位よりも太くして強調した表示）と、指定された電圧値の範囲を特定可能な識別表示Ｍａ５（この例では、「○」中に、指定された順序を示す「５」を描いたマーク、およびグラフＧの任意の範囲を指し示す「矢印」：「第１識別表示」のさらに他の一例）とを測定値表示領域Ａａ内に表示させる。
【００８２】
また、制御部１７は、指定された範囲の各電圧値の測定データＤｓが生成された領域（各測定データＤｓに関連付けられている測位データＤｐに基づいて特定される各位置）を特定する。この場合、特定した領域（範囲）の地図ＭＰや移動軌跡表示ＭＬが測定位置表示領域Ａｂ内に表示されているこの例では、特定した領域（範囲）を示す範囲表示Ｍｂ５Ｌ（この例では、移動軌跡表示ＭＬにおいて対応する範囲内の破線を実線に変更しつつ、その太さを他の部位よりも太くして強調した表示：「測定位置範囲表示」の一例）と、特定した領域（範囲）を示す識別表示Ｍｂ５（この例では、「○」中に、指定された順序を示す「５」を描いたマーク、および地図ＭＰや移動軌跡表示ＭＬの任意の位置を指し示す「矢印」：「第２識別表示」のさらに一例）を測定位置表示領域Ａｂにおける地図ＭＰ上（移動軌跡表示ＭＬ上）に表示させる（「指定された各測定値の測定データが生成された各位置を含む地図中の領域を特定可能に測定位置範囲表示を表示させる」との処理、および「指定された各測定値の測定データが生成された各位置を含む移動軌跡表示上の範囲を特定可能に測定位置範囲表示を表示させる」との処理の一例）。
【００８３】
これにより、測定値表示領域Ａａにおいて範囲表示Ｍａ５Ｌおよび識別表示Ｍａ５によって示されている電圧値の範囲が、測定位置表示領域Ａｂにおいて範囲表示Ｍｂ５Ｌおよび識別表示Ｍｂ５によって示されている領域（範囲）において測定されたことを直感的に認識することが可能となる。
【００８４】
また、測定位置表示領域Ａｂに表示されている地図ＭＰおよび移動軌跡表示ＭＬを見た利用者が表示部１５における位置Ｐ６ａから位置Ｐ６ｂまで矢印Ｐ６の向きでドラッグ操作したときに（位置Ｐ６ａから位置Ｐ６ｂまでの領域（範囲）において測定された電圧値を特定したいときに実行する操作の一例）、制御部１７は、地図ＭＰ上（移動軌跡表示ＭＬ上）における位置Ｐ６ａ〜Ｐ６ｂまでの領域（範囲）が指定されたと判別する（「測定位置表示画面に表示させた地図中の任意の領域が指定されたとき」、および「測定位置表示画面に表示させた移動軌跡表示中の任意の範囲が指定されたとき」の一例）。
【００８５】
この場合、移動軌跡表示ＭＬ上の位置Ｐ６ａから位置Ｐ６ｂまでの領域（範囲）が指定されたこの例では、指定された領域（範囲）内において生成された測定データＤｓが存在する。したがって、制御部１７は、図８に示すように、まず、地図ＭＰ上（移動軌跡表示ＭＬ上）において指定された領域（範囲）に対応させて範囲表示Ｍｂ６Ｌ（この例では、移動軌跡表示ＭＬにおいて対応する範囲内の破線を実線に変更しつつ、その太さを他の部位よりも太くして強調した表示）と、指定された領域（範囲）を特定可能な識別表示Ｍｂ６（この例では、「○」中に、指定された順序を示す「６」を描いたマーク、および地図ＭＰ上（移動軌跡表示ＭＬ上）の任意の範囲を指し示す「矢印」：「第２識別表示」のさらに他の一例）とを測定位置表示領域Ａｂ内に表示させる。なお、上記の例とは相異するが、生成された測定データＤｓが存在しない領域（範囲）が指定されたときには、制御部１７は、前述したように、「その場所で測定された測定値はありません」とのメッセージを表示部１５に表示させる。
【００８６】
次いで、制御部１７は、指定された領域（範囲）において生成された測定データＤｓの各電圧値の範囲を特定可能に範囲表示Ｍａ６Ｌ（この例では、グラフＧにおいて対応する範囲内の線の太さを他の部位よりも太くして強調した表示：「測定値範囲表示」の一例）と、指定された領域（範囲）内において生成された測定データＤｓの測定値の範囲を示す識別表示Ｍａ６（この例では、「○」中に、指定された順序を示す「６」を描いたマーク、およびグラフＧの任意の電圧値を指し示す「矢印」：「第１識別表示」のさらに一例）とを測定値表示領域Ａａ内に表示させる（「複数の測定データの各測定値の範囲を特定可能に測定値範囲表示を表示させる」との処理の一例）。
【００８７】
これにより、測定位置表示領域Ａｂにおいて範囲表示Ｍｂ６Ｌおよび識別表示Ｍｂ６によって示されている領域（範囲）において生成された各測定データＤｓの電圧値が、測定値表示領域Ａａにおいて範囲表示Ｍａ６Ｌおよび識別表示Ｍａ６によって示されている範囲内の電圧値であることを直感的に認識することが可能となる。
【００８８】
この場合、図２〜８を参照しつつ説明した例では、各測定データＤｓに基づいて特定した「電圧値のレベル」を上下方向（第１の方向）に対応させ、かつ各測位データＤｐに基づいて特定した「データ記憶処理中における測定装置１の移動距離」を左右方向（第２の方向）に対応させたグラフＧによって各測定データＤｓの測定値を測定値表示領域Ａａ内に表示させている。一方、本例の測定装置１では、上記のようなグラフＧの表示態様に代えて、「電圧値のレベル」を上下方向（第１の方向）に対応させ、かつ各電圧値の測定データＤｓが生成された際の「データ記憶処理の開始時点からの経過時間」を左右方向（第２の方向）に対応させたグラフＧによって各測定データＤｓの測定値を測定値表示領域Ａａ内に表示させることができる。
【００８９】
このような表示態様でグラフＧを表示させるときには、一例として、図８に示す位置Ｐ７をタッチする。これに応じて、制御部１７は、表示部１５の前面側に配設されているタッチパネルからの操作信号に基づき、「経過時間毎の電圧値を示すグラフＧ」の表示を指示されたと判別する（「経過時間と移動距離との他方を第２の方向に対応させるように指示されたとき」の一例）。この際に、制御部１７は、図９に示すように、「移動距離毎の電圧値を示すグラフＧ（図２〜９参照）」に代えて、「経過時間毎の電圧値を示すグラフＧ」を測定値表示領域Ａａに表示させる。これにより、前述した測定処理の開始時点からの各経過時間毎の電圧値を正確かつ容易に特定することが可能となる。
【００９０】
また、「経過時間毎の電圧値を示すグラフＧ」に代えて、「移動距離毎の電圧値を示すグラフＧ」を再び表示させるときには、一例として、図９に示す位置Ｐ７をタッチする。これに応じて、制御部１７は、表示部１５の前面側に配設されているタッチパネルからの操作信号に基づき、「移動距離毎の電圧値を示すグラフＧ」の表示を指示されたと判別し（「経過時間と移動距離との他方を第２の方向に対応させるように指示されたとき」の他の一例）、図８に示すように、「経過時間毎の電圧値を示すグラフＧ」を測定値表示領域Ａａに表示させる。これにより、前述した測定処理の開始時点における測定装置１の位置からの各移動距離毎の電圧値を正確かつ容易に特定することが可能となる。
【００９１】
このように、この測定装置１では、「表示処理」において、測定値表示領域Ａａに表示させた複数の測定値（本例では、電圧値）のうちからいずれかの測定値が指定されたときに、指定された測定値を特定可能な識別表示Ｍａを測定値表示領域Ａａに表示させると共に、指定された測定値の測定データＤｓが生成された位置を示す識別表示Ｍｂを測定位置表示領域Ａｂに表示させる「第１処理」と、測定位置表示領域Ａｂに表示させた地図ＭＰ中のいずれかの位置（移動軌跡表示ＭＬ上のいずれかの位置）が指定され、かつ指定された位置において生成された測定データＤｓが存在するときに、地図ＭＰ中の指定された位置（移動軌跡表示ＭＬ上の指定された位置）に識別表示Ｍｂを表示させると共に、指定された位置において生成された測定データＤｓの測定値を特定可能に識別表示Ｍａを測定値表示領域Ａａに表示させる「第２処理」との少なくとも一方（本例では、双方）を実行可能に構成されている。
【００９２】
したがって、この測定装置１によれば、測定値表示領域Ａａに表示されている各測定値のなかに、いずれの位置で測定されたかを特定したい測定値が存在するときに、その測定値を指定することで、指定した測定値を示す識別表示Ｍａが測定値表示領域Ａａに表示され、かつ指定した測定値の測定データＤｓが生成された位置を示す識別表示Ｍｂが測定位置表示領域Ａｂに表示される。また、測定位置表示領域Ａｂに表示されている各地図ＭＰや移動軌跡表示ＭＬのなかに、どのような測定値が測定されたかを特定したい位置が存在するときに、その位置を指定することで、指定した位置を示す識別表示Ｍｂが測定位置表示領域Ａｂに表示され、かつ指定した位置において生成された測定データＤｓの測定値を示す識別表示Ｍａが測定値表示領域Ａａに表示される。したがって、指定した測定値と、その測定値が測定された位置との関係を正確かつ容易に特定させることができると共に、指定した位置と、その位置において測定された測定値との関係を正確かつ容易に特定させることができる。
【００９３】
また、この測定装置１では、「第１処理」において、指定された測定値の測定データＤｓが生成された位置を含む領域の地図ＭＰ（移動軌跡表示ＭＬ）が測定位置表示領域Ａｂに表示されていないときに、地図ＭＰ（移動軌跡表示ＭＬ）をスクロールさせて測定データＤｓが生成された位置を含む領域を測定位置表示領域Ａｂに表示させる「処理Ａ１（Ｂ１）」と、地図ＭＰ（移動軌跡表示ＭＬ）を縮小して表示範囲を拡大することで測定データＤｓが生成された位置を含む領域を測定位置表示領域Ａｂに表示させる「処理Ａ２（Ｂ２）」との少なくとも一方を実行する。したがって、この測定装置１によれば、地図ＭＰや移動軌跡表示ＭＬを表示替えさせる煩雑な操作を行うことなく、指定した測定値と、その測定値が測定された位置との関係を一層容易に特定させることができる。
【００９４】
さらに、この測定装置１によれば、「第２処理」において、測定位置表示領域Ａｂに表示させた地図ＭＰ中の任意の領域（移動軌跡表示ＭＬ上の任意の範囲）が指定され、かつ指定された領域内（範囲内）に測定データＤｓが生成された位置が複数存在するときに、複数の測定データＤｓの各測定値の範囲を特定可能に「第１識別表示」としての「測定値範囲表示（この例では、識別表示Ｍａ６および範囲表示Ｍａ６Ｌ）」を測定値表示領域Ａａに表示させることにより、指定した領域（範囲）と、その領域（範囲）において測定された各測定値との関係を正確かつ容易に特定させることができる。
【００９５】
また、この測定装置１によれば、「第１処理」において、測定データＤｓの生成順で連続する複数の測定値が指定されたときに、指定された各測定値の測定データＤｓが生成された各位置を含む地図ＭＰ中の領域（移動軌跡表示ＭＬ上の範囲）を特定可能に「第２識別表示」としての「測定位置範囲表示（この例では、識別表示Ｍｂ５および範囲表示Ｍｂ５Ｌ）」を測定位置表示領域Ａｂに表示させることにより、指定した範囲内の測定値と、それらの測定値が測定された領域（範囲）との関係を正確かつ容易に特定させることができる。
【００９６】
さらに、この測定装置１によれば、「表示処理」において、記憶部１６に記憶させた複数の測定データＤｓが生成された各位置を特定可能な（本例では、測定データＤｓの生成順に結んだ）移動軌跡表示ＭＬを測定位置表示領域Ａｂに表示させることにより、各測定値の測定データＤｓが生成された際に、測定装置１がどのような移動軌跡で移動したのかを容易に特定させることができる。
【００９７】
また、この測定装置１によれば、「表示処理」において、測定値表示領域Ａａに表示させる測定値の測定データＤｓが生成された位置を含む領域の地図ＭＰを地図データＤｍに基づいて測定位置表示領域Ａｂに表示させることにより、どのような地域において各測定値の測定データＤｓが生成されたのかを容易に特定させることができる。
【００９８】
さらに、この測定装置１によれば、制御部１７が、操作部１４を介して地図データサーバ３から地図データＤｍを取得して記憶部１６に記憶させることにより、測定装置１が携行され得る全地域の詳細な地図データＤｍを記憶部１６に記憶させておく必要がないため、ある程度少容量の記憶部１６であっても、測定データＤｓ、測位データＤｐおよび地図データＤｍを十分に記憶させることができる結果、測定装置１の製造コストを低減することができる。また、地図データＤｍを固定的に記憶しておく構成とは異なり、地図データサーバ３等において地図データＤｍが更新されたときに、新たな地図データＤｍに基づく最新の地図ＭＰを測定位置表示領域Ａｂに表示させることができるため、どのような地域において各測定値の測定データＤｓが生成されたのかを正確に特定させることができる。
【００９９】
また、この測定装置１では、「第１処理」において、いずれかの測定値が指定された後に他の測定値が指定されたときに、指定された順序を特定可能に識別表示Ｍａを測定値表示領域Ａａにそれぞれ表示させ、かつ指定された各測定値に対応する複数の識別表示Ｍｂを各測定値が指定された順序を特定可能に測定位置表示領域Ａｂに表示させると共に、「第２処理」において、測定データＤｓが生成されたいずれかの位置が指定された後に他の位置が指定され、かつその位置において生成された測定データＤｓが存在するときに、指定された順序を特定可能に識別表示Ｍｂを測定位置表示領域Ａｂにそれぞれ表示させ、かつ指定された各位置に対応する複数の識別表示Ｍａを各位置が指定された順序を特定可能に測定値表示領域Ａａに表示させる。
【０１００】
したがって、この測定装置１によれば、いずれの位置において測定されたのかを特定したい測定値が複数存在するときに、各測定値がそれぞれどの位置において測定されたのかを正確かつ容易に特定させることができると共に、どのような測定値が測定されたのかを特定したい位置が複数存在するときに、各位置においてそれぞれ測定された測定値がどのような値であるかを正確かつ容易に特定させることができる。
【０１０１】
さらに、この測定装置１によれば、測定値表示領域Ａａおよび測定位置表示領域Ａｂを１画面内に並べて表示させることにより、指定した測定値と、その測定値が測定された位置との関係、および指定した位置と、その位置において測定された測定値との関係を一層容易に特定させることができる。
【０１０２】
また、この測定装置１によれば、「表示処理」において、測定値のレベルを「第１の方向（この例では、上下方向）」に対応させ、かつ「データ記憶処理の開始時点からの経過時間」と「データ記憶処理中における測定装置１の移動距離」とのいずれか一方を「第２の方向（この例では、左右方向）」に対応させたグラフＧによって各測定値を測定値表示領域Ａａに表示させると共に、「経過時間」と「移動距離」との他方を「第２の方向」に対応させるように指示されたときに、指示された「他方」を「第２の方向」に対応させたグラフＧを測定値表示領域Ａａに表示させることにより、「経過時間」を「第２の方向」に対応させたグラフＧ、すなわち、「経過時間」毎の測定値を示すグラフＧを測定値表示領域Ａａに表示させることで「経過時間毎の測定値の変化」を容易に把握させることができ、「移動距離」を「第２の方向」に対応させたグラフＧ、すなわち、「移動距離」毎の測定値を示すグラフＧを測定値表示領域Ａａに表示させることで「移動距離毎の測定値の変化」を容易に把握させることができるため、観察すべき内容に応じてこれらの表示態様を切り替えることで、測定値の変化の推移を正確に認識させることができる。
【０１０３】
なお、「測定システム」の構成は、上記の測定装置１の構成に限定されない。例えば、「測定装置」および「測定結果表示装置」を一体化した測定装置１を「測定システム」の一例として説明したが、別個独立して構成された「測定装置」および「測定結果表示装置」によって「測定システム」を構成することもできる（図示せず）。このような構成を採用した「測定システム」においても、上記の測定装置１と同様にして、「測定装置」によって測定された物理量と、その物理量が測定された位置との関係を「測定結果表示装置」において正確かつ容易に特定させることができる。
【０１０４】
また、測定値表示領域Ａａや測定位置表示領域Ａｂを表示可能な表示部１５を一体的に備えて構成した測定装置１（測定結果表示装置）を例に挙げて説明したが、「測定値表示画面」や「測定位置表示画面」を外部装置としての表示装置（図示せず）に表示させる構成を採用することもできる。さらに、「第１処理」および「第２処理」の双方を実行可能に構成した測定装置１を例に挙げて説明したが、「第１処理」および「第２処理」のいずれか一方だけを実行可能な「表示装置側処理部」を備えて「測定システム」を構成することができる。また、地図ＭＰおよび移動軌跡表示ＭＬの双方を測定位置表示領域Ａｂ内に表示させる構成の測定装置１（測定結果表示装置）を例に挙げて説明したが、「地図」および「移動軌跡表示」のいずれか一方だけを「測定位置表示画面」に表示させる構成を採用した場合においても、「測定データ」が生成された位置を正確かつ容易に特定させることができる。
【０１０５】
さらに、各測定データＤｓの測定値をグラフＧによって測定値表示領域Ａａ内に表示させる構成の測定装置１（測定結果表示装置）を例に挙げて説明したが、このような構成に代えて、数値（測定値の一覧表示）等によって「測定データの測定値」を「測定値表示画面」内に表示させる構成を採用することもできる。また、通信部１３を備えて地図データサーバ３から地図データＤｍを取得する構成の測定装置１（測定結果表示装置）を例に挙げて説明したが、このような構成に代えて（または、このような構成に加えて）、光記録ディスク等の各種メディアから「地図データ」を読み取り可能なドライブ装置（「外部装置」の他の一例）を接続可能に構成したり、リームバブルメモリ等の外部記憶装置（「外部装置」のさらに他の一例）を接続可能に構成したりして、これらの装置から「地図データ」を取得して記憶部１６に記憶させる構成を採用することもできる。
【０１０６】
また、ＧＰＳ衛星２，２・・から送信されたＧＰＳ信号Ｓｇに基づいて現在位置を測位して測位データＤｐを生成する測位部１２を備えた測定装置１（測定装置）を例に挙げて説明したが、「測定装置」の構成はこれに限定されない。具体的には、ＧＰＳ以外の各種衛星測位システム（Ｇａｌｉｌｅｏ、ＧＬＯＮＡＳＳおよびＣｏｍｐａｓｓなど）を単独で使用して現在位置を測位する構成の測位部、各種衛星測位システムを併用して現在位置を測位する構成（例えば、ＧＰＳと準天頂衛星とを併用して測位する構成）の測位部、携帯電話通信網に接続可能な通信部を介して携帯電話基地局から取得した信号に基づいて（携帯基地局測位システムを使用して）現在位置を測位する構成の測位部、および衛星測位システムと携帯基地局測位システムとを併用して現在位置を測位する構成の測位部などの各種の「測位部」を搭載して「測定装置」を構成することができる。
【符号の説明】
【０１０７】
１  測定装置
２  ＧＰＳ衛星
３  地図データサーバ
１１  測定部
１２  測位部
１３  通信部
１４  操作部
１５  表示部
１６  記憶部
１７  制御部
Ａａ  測定値表示領域
Ａｂ  測定位置表示領域
Ｇ  グラフ
Ｍａ１〜Ｍａ６，Ｍｂ１〜Ｍｂ６，Ｍｅ，Ｍｓ  識別表示
Ｍａ５Ｌ，Ｍａ６Ｌ，Ｍｂ５Ｌ，Ｍｂ６Ｌ  範囲表示
ＭＬ  移動軌跡表示
ＭＰ  地図
Ｐ１〜Ｐ４，Ｐ５ａ，Ｐ５ｂ，Ｐ６ａ，Ｐ６ｂ，Ｐ７  位置
Ｄｍ  地図データ
Ｄｐ  測位データ
Ｄｓ  測定データ
Ｎ  通信ネットワーク
Ｓｇ  ＧＰＳ信号
【図１】
2014120087.tif 000003
【図２】
2014120087.tif 000004
【図３】
2014120087.tif 000005
【図４】
2014120087.tif 000006
【図５】
2014120087.tif 000007
【図６】
2014120087.tif 000008
【図７】
2014120087.tif 000009
【図８】
2014120087.tif 000010
【図９】
2014120087.tif 000011